(57)【要約】【課題】連続的な地下茎作物の収穫作業を可能にするとともに、圃場への適応性を向上させることができる地下茎作物収穫機を提供すること。【解決手段】地下茎作物収穫機Ａは、走行前方向から後上がりに斜設され地下茎作物の茎葉部を挟持して抜き取るとともに後方に搬送する引き抜きコンベア３と、引き抜きコンベア３の下方に設けられ、抜き取られた地下茎作物Ｃが引き抜きコンベア３によって搬送される途中において地下茎作物の球根部Ｂと茎葉部Ｌとの間を切断して分離する切断部４を備える。さらに、引き抜きコンベア３及び切断部４の下方に前端部を位置させるとともに進行方向の前方から後上がりに斜設させ、切断部４で分離後の地下茎作物の球根部Ｂの落下を受け止めた後に後方に搬送する球根搬送コンベア７を備えた。【選択図】    図１
2020198833.tif 000002
【特許請求の範囲】
【請求項１】
走行前方向から後上がりに斜設され地下茎作物の茎葉部を挟持して抜き取るとともに後方に搬送する引き抜きコンベアと、
前記引き抜きコンベアの下方に設けられ、抜き取られた地下茎作物が前記引き抜きコンベアによって搬送される途中において地下茎作物の球根部と茎葉部との間を切断して分離する切断部と、
前記引き抜きコンベア及び切断部の下方に前端部を位置させるとともに進行方向の前方から後上がりに斜設させ、前記切断部で分離後の地下茎作物の球根部の落下を受け止めた後に後方に搬送する球根搬送コンベアと、
を備えたことを特徴とする地下茎作物収穫機。
【請求項２】
前記引き抜きコンベアの進行方向に対する左右側方のそれぞれに設けた地面と接するための接地手段と、
前記進行方向に対する左右に設けた接地手段のそれぞれを繋ぐとともに、前記球根搬送コンベアを着脱自在にするための取付部を有した梁部材と、
をさらに備えたことを特徴とする請求項１に記載の地下茎作物収穫機。
【請求項３】
前記球根搬送コンベアの搬送長は前記引き抜きコンベアの搬送長より長く設定されるとともに、前記球根搬送コンベアの終端部の高さは前記引き抜きコンベアの終端部の高さより高く設定されている、
ことを特徴とする請求項１又は２に記載の地下茎作物収穫機。
【請求項４】
前記引き抜きコンベアの上方には、前記引き抜きコンベアの前方に位置させた走行機体に装着するための装着部と、
前記装着部の近傍に位置し、前記走行機体から回転動力を獲得するための入力軸を有し、前記引き抜きコンベア、前記切断部、前記茎葉排出コンベアへ回転動力を伝達する入力部と、
前記入力軸の近傍に設けられ、前記球根搬送コンベアを駆動させるためのエネルギ発生装置と、
をさらに備えたことを特徴とする請求項１乃至３のいずれか１項に記載の地下茎作物収穫機。
【請求項５】
前記引き抜きコンベアの上方位置で引き抜きコンベアの終端部側で前部に重合部分を有し、前記切断部で分離後の地下茎作物の茎葉部を搬送する茎葉排出コンベアと、
前記茎葉排出コンベアの終端部下方に位置し前記茎葉排出コンベアから落下する茎葉部を後方に排出する茎葉排出シュートと、
前記引き抜きコンベアの下方で前記切断部の前方には、前記引き抜きコンベアによって搬送された地下茎作物の球根部に付着した土を叩き落とし、進行方向と直交方向を軸にして後方側を回動可能に設けた土落し装置と、
前記土落し装置の前方で進行方向と直交方向を軸にして回転駆動し、マルチフィルムを押さえつけるマルチ押えローラと、
をさらに備えたことを特徴とする請求項１乃至４のいずれか１項に記載の地下茎作物収穫機。
【発明の詳細な説明】
【技術分野】
【０００１】
本発明は、収穫機械に関する。詳細には、作物を土壌から引き抜き、この作物を次工程に搬送することができる収穫機械に関する。
【背景技術】
【０００２】
畝に植えられた地下茎作物を上方に引き抜くと共に後方及び上方に搬送する収穫装置として、特許文献１の地下茎作物の収穫装置が開示されている。この装置は、引き抜きコンベアと、この引き抜きコンベアの下方に設けられた切断部と、この切断部下方に設け、底部が可撓性部材から成るとともに、底部を球根部収容可能状態および球根部排出可能状態に可変可能な収容部底部可変手段を備えた球根収容部を有している。この発明によれば、走行収穫作業を続けながら、球根収容部に球根部を収容させ、満杯になったら一度に畝上にまとめて球根部を排出可能である旨の記載がある。
【先行技術文献】
【特許文献】
【０００３】
【特許文献１】特開２０１０−２３３４６６号公報
【発明の概要】
【発明が解決しようとする課題】
【０００４】
特許文献１に記載の地下茎作物の収穫装置は、走行収穫作業を続行させることが可能であるものの、球根部を畝上に排出させる構造上、球根部を再度別の収納容器に拾い集めなくてはならない課題が生じる。この反面、引き抜きコンベア後方に別の収納容器を設置させるとしても、十分な設置スペースが必要である課題が生じる。特に、狭い圃場で地下茎作物の収穫をする場合は、トラクタに装着される収穫機械は小型である方が望まれている。
【０００５】
したがって、本発明は上記課題に着眼してなされたものであり、連続的な地下茎作物の収穫作業を可能にするとともに、圃場への適応性を向上させることができる地下茎作物収穫機を提供することを目的とする。
【課題を解決するための手段】
【０００６】
上記目的を達成するために、本発明の第１の態様は、走行前方向から後上がりに斜設され地下茎作物の茎葉部を挟持して抜き取るとともに後方に搬送する引き抜きコンベアと、引き抜きコンベアの下方に設けられ、抜き取られた地下茎作物が引き抜きコンベアによって搬送される途中において地下茎作物の球根部と茎葉部との間を切断して分離する切断部と、引き抜きコンベア及び切断部の下方に前端部を位置させるとともに進行方向の前方から後上がりに斜設させ、切断部で分離後の地下茎作物の球根部の落下を受け止めた後に後方に搬送する球根搬送コンベアと、を備えた地下茎作物収穫機であることを要旨とする。
【発明の効果】
【０００７】
本発明によれば、連続的な地下茎作物の収穫作業を可能にするとともに、圃場への適応性を向上させることができる地下茎作物収穫機を提供することができる。
【図面の簡単な説明】
【０００８】
【図１】本発明の実施形態の正面図である。
【図２】本発明の実施形態の平面図である。
【図３】本発明の実施形態の背面図である。
【図４】本発明の実施形態の搬送に係る部分を進行方向と平行に断面した正面断面図である。
【図５】本発明の実施形態の球根搬送部の取付け部分を拡大した拡大背面図である。
【発明を実施するための形態】
【０００９】
図面を参照して、本発明の一実施形態を説明する。説明においては、図１に示す左側を進行方向の前方側、右側を進行方向の後方側、また、図２に示す下側を進行方向の左側、上側を進行方向の右側として説明する。
説明に用いる図面は模式的なものであり、各部の寸法との関係等は現実のものとは異なることがある。また、本発明の技術的思想は、特許請求の範囲に記載された請求項が規定する技術的範囲内において、種々の変更を加えることができる。
【００１０】
本発明の一実施形態を、図面に基づいて説明する。
地下茎作物収穫機Ａは、図示しないトラクタなどの走行機体の後方の３点リンク（図示せず）に装着して、前方に進行しながらニンニク等の地下茎作物Ｃを収穫する。地下茎作物収穫機Ａの前方部にはトラクタの３点リンクに連結する機枠である装着部１を備えている。装着部１の上部にトップリンクピン１１１と、下部にロアリンクピン１１２を、取付けていて、これらをトラクタの３点リンクに連結することで、地下茎作物収穫機Ａは昇降自在である。
【００１１】
装着部１のやや後方には、トラクタのＰＴＯ軸から回転動力を獲得するための入力部１２が位置している。入力部１２から前方に突出して設けた入力軸１２１の前端部をトラクタのＰＴＯ軸（図示せず）とユニバーサルジョイント等（図示せず）にて連結することによって、入力部１２に動力が伝達される。この入力部１２から、回転動力を必要とされる部位に伝達される。
【００１２】
装着部１及び入力部１２の下方には、根切り部２及び引き抜きコンベア３が位置している。根切り部２は、機体前方側に配置されていて、走行方向と直交方向に設けられる刃部２２を、畝の土中に栽培されているニンニク等の地下茎作物Ｃの球根部Ｂの下方を通過させて地下茎作物Ｃを掘り起こす。刃部２２は、地下茎作物Ｃが栽培されている畝Ｒと、畝Ｒの両側の畝間の地面Ｇの両方を掘り起こすために、中央部が上方に位置するようにクランク状に設けている。こうすることで畝Ｒの土全体が膨軟になり、地下茎作物Ｃを引き抜き易くなる。
【００１３】
根切り部２は、機体両側それぞれに上下向けて配置した根切りフレーム２１を設けている。根切りフレーム２１は装着部１に対し回動自在に上部を支持するとともに、入力軸１２１に設けたクランク部１２２と連結される。クランク部１２２の偏心部により、入力軸１２１の回転によって、根切りフレーム２１を前後に揺動振動させ、根切りフレーム２１下部に固定される刃部２２も同時に前後に揺動振動させる。刃部２２は、進行方向と直行する方向に掛け渡されているので、揺動振動によって、地下茎作物の下方部を通過して根を切断するとともに、土壌を膨軟にして作物を浮き上がらせ抜き取りやすくする。
【００１４】
その後、根切り部２の後方部に前方側下端部を位置させ、後方に向けて上方斜めに配置した引き抜きコンベア３によって、地下茎作物Ｃの茎葉部Ｌを挟持して抜き取る。斜めに配置した引き抜きコンベア３は、抜き取り後も地下茎作物Ｃを挟持しながら後方に搬送する。引き抜きコンベア３は複数列を進行方向と直交する方向に平行に配置させることが可能で、この実施形態では４列設けている。すなわち、畝に植えられている地下茎作物Ｃを４列同時に進行させながら抜き取ることができる。
【００１５】
それぞれ１列の引き抜きコンベア３は、走行前方向から後上がりに斜めに設置される２つの引き抜きベルト３０からなる。引き抜きベルト３０はベルト背面を垂直方向に位置させ、互いの背面を対面させるとともに接触させている。引き抜きベルト３０の前端部は畝面Ｒよりやや高い位置に設定させ、２つの対面させた引き抜きベルト３０間の前端部で地下茎作物Ｃの茎葉部Ｌを挟持して、地下茎作物Ｃを畝面Ｒから抜き取るとともに機体後方に搬送する。引き抜きコンベア３は、入力部１２から、シャフト、チェーン、ギヤ等を介して後方の駆動プーリ３１に伝達されて回転駆動を可能にしている。
【００１６】
引き抜きコンベア３は、後方斜め上に向かって傾斜させているので、トラクタの進行とともに地下茎作物Ｃを畝面Ｒに対し上方に抜き取るとともに、機体後方に搬送させることができる。引き抜きコンベア３は、畝面Ｒに対して３０〜５０度が良いとされ、実施形態において、最も好適な４０度を採用している。
【００１７】
引き抜きコンベア３の進行方向両側にそれぞれ接地手段６を配置している。地下茎作物収穫機Ａは、地下茎作物Ｃが栽培されている畝Ｒの両側の２つの畝間の地面Ｇをそり状のシュー６１を有した接地手段６によって接地させながら走行する。引き抜きコンベア３の左右両側のそれぞれから下方に延設したシューフレーム６２が設けられ、下端にはシュー６１が畝間の地面Ｇに平行に接するように角度調整可能に配設されている。シュー６１は作物抜取位置を安定させるためのもので、地下茎作物収穫機Ａは機体を安定させながら収穫作業をすることができる。
【００１８】
それぞれの引き抜きコンベア３の前後方向に対する中間位置の下方には、球根部Ｂの根の土落としを行う土落し部３３を設ける。土落し部３３は、進行方向と直交する水平回転軸３３１に星形の板状体の可堯性材質からなるスターホイール３３０を軸方向に複数設けている。このスターホイール３３０を入力部１２から得た動力で回転駆動させて、星形の突起を球根部Ｂに接触させることによって、球根部Ｂの根の土落しを行う。スターホイール３３０は回転外径の上部が引き抜きコンベア３の搬送方向と同じ方向、つまり、図１又は図４において右回転になるように設定している。そして、回転駆動するスターホイール３３０の外周速度は、引き抜きベルト３０の搬送速度より４〜５倍程度速くなるように設定することによって、球根部Ｂに付着した土を効果的に落す。
【００１９】
この実施形態において、スターホイール３３０は、前後方向に駆動する回転方向が同一の水平回転軸３３１を２列設けていて、これらそれぞれに取り付けることによって、より効果的に球根部Ｂに付着した土を落すことができる。さらに、水平回転軸３３１を３列以上設けることは、より効果を向上させることは言うまでもない。
【００２０】
土落し部３３は、前方側の水平回転軸３３１を支点にして後方部が上下に回動自在にされるとともに、後方側を上方に向けて弾性体３３２で付勢している。これにより、土落し部３３を引き抜きコンベア３により搬送される地下茎作物Ｃの球根部Ｂに可能な限り近接して位置させることを可能にしている。さらに、球根部Ｂの付着した土に量が多くスターホイール３３０の回転に負荷がかかる場合は、弾性体３３２が伸長することで土落し部３３の後部を下方に移動させ、球根部Ｂへ過剰に圧迫するようにスターホイール３３０が接触することを防ぐ。
【００２１】
土落し部３３の前方には、押えローラ３４が位置している。押えローラ３４は、円筒状部材で進行方向と直交する方向に回転軸を有していて、畝面Ｒに接触する、あるいは畝面Ｒよりやや上方に位置しながら入力部１２から伝動された動力で回転駆動する。押えローラ３４は、畝面Ｒに敷設しているマルチフィルムを下方に押さえ付け、上方に抜き取られる地下茎作物Ｃが、この球根部Ｂにマルチフィルムが絡まり、上方に持ち上がらないようにする。押えローラ３４の回転方向は、図１又は図４に示す左方向、つまり回転外周下方において後方に向けている。さらに、押えローラ３４の外周における回転速度は機体の進行速度より速く設定されている。このように構成することで、押えローラ３４の前方側にマルチフィルムの皴が寄ることなく、且つ、押えローラ３４の前方にマルチフィルムが溜まらないので、押えローラ３４の前方のマルチフィルムを常時張った状態にできる。結果、マルチフィルムが球根部Ｂに引っ掛かり、上方に持ち上がらない。
【００２２】
土落し部３３の後方側で、引き抜きコンベア３の搬送方向下流側となる後部の下方には、円盤状カッタ４０を有した切断部４が設けられている。円盤状カッタ４０は引き抜きベルト３０の駆動プーリ３１と同軸上にそれぞれ配置していて、駆動プーリ３１の外径より大きく設定されている。複数設けた円盤状カッタ４０は、互いに干渉しないように上下に位置をずらしていて、この間に引き抜きベルト３０によって搬送された地下茎作物Ｃの茎部が、通過することで切断する。切断部４は、抜き取られた地下茎作物Ｃが引き抜きコンベア３によって搬送される途中において地下茎作物Ｃの球根部Ｂと茎葉部Ｌとの間を切断して分離する。
【００２３】
切断部４によって切断され分離された地下茎作物Ｃの球根部Ｂは、切断部４の下方に位置した球根搬送部７に自然落下する。球根搬送部７は、左右両側に配置した板状のコンベアフレーム７０に挟んで配置されるとともに、コンベアフレーム７０前後の両端部に水平に配置した回転軸に巻き掛けた無端状のベルトコンベア７１が、後方斜め上方に向かうように配置している。ベルトコンベア７１は、周回駆動することで落下した球根部Ｂを後方側に搬送させることができ、搬送面となる外周面に搬送方向に面を向けた板材７１２を立てて配置している。この板材７１２によって、傾斜がかかったベルトコンベア７１の搬送面を球根部Ｂが、下方に転がり落ちることを防止する。
【００２４】
この実施形態では、球根搬送部７の進行方向の左右に対する全幅は、上方に設けられた複数の引き抜きコンベア３をすべて合わせた進行方向の左右に対する全幅よりも、狭く設定している。このようにすると、球根搬送部７に係る構成部材の増加を抑制できるので、重心が後方に偏ることを抑制でき、トラクタに地下茎作物収穫機Ａを装着した場合に、トラクタのタイヤ等の走行部に係る前後接地バランスを良好に保てる。また、後方部の球根搬送部７の全幅は引き抜きコンベア３の全幅より狭いので、地下茎作物収穫機Ａを装着したトラクタが旋回時に、地下茎作物収穫機Ａの後方部にある球根搬送部７の左右側部を他の構造物等に干渉させずに済む。
【００２５】
図４に示すように、ベルトコンベア７０の前端の上方には円盤状カッタ４０の前端が位置していて、切断部４によって分離された球根部Ｂは、ベルトコンベア７１前端に落下する。ベルトコンベア７１の前部上方には落下した球根部Ｂをベルトコンベア７１前端に集めるためのシュート７２を設置している。
【００２６】
シュート７２の左右両側の上端部は、引き抜きコンベア３の左右両端部の下方に位置させ、前方側の上端部は、円盤状カッタ４０の前端より前で下方に位置するように設定している。引き抜きコンベア３によって茎葉部Ｌ挟持されて搬送中の地下茎作物Ｃを、円盤状カッタ４０で切断した場合に、地下茎作物Ｃの球根部Ｂがある下端部は自由状態であり、この状態で切断した球根部Ｂが周囲に散ることがある。
【００２７】
シュート７２を備え付けることで、周囲に散った球根部Ｂも、図２に示す平面視で、機体の進行方向の左右に対し、中央に位置させた球根搬送部７に導くことができる。このようにして切断した球根部Ｂを、ベルトコンベア７１の前端に集めるとともに、ベルトコンベア７１の前端部から後方の上部に向けて搬送する。ベルトコンベア７１の前端部が円盤状カッタ４０の前端の直下に位置していることで、球根部Ｂを周囲に飛び散らすことなく効果的にベルトコンベア７１の前端部に集めることができる。
【００２８】
ベルトコンベア７１の搬送距離Ｄ２は、引き抜きコンベア３の搬送距離Ｄ１より長く設定されている。また、ベルトコンベア７１の畝面Ｒに対する搬送角度Ｅ２は、引き抜きコンベア３の畝面Ｒに対する搬送角度Ｅ１に対して同じかそれ以上としている。このように設定することで、地下茎作物収穫機Ａと伴走可能にされた収納容器Ｖを、球根搬送部７の下方に位置させることができる。球根搬送部７のベルトコンベア７１の後端部は、図１に示すように、収納容器Ｖの前後方向に対して、前端部より後方に位置させることが可能になる。結果、球根部Ｂは相対的に地下茎作物収穫機Ａとの前後距離を調整することで、収納容器Ｖに偏りなく投入することができる。
【００２９】
この実施形態において、ベルトコンベア７１の搬送距離Ｄ２は、引き抜きコンベア３の搬送距離Ｄ１より１．５〜１．９倍の長さを有している。また、ベルトコンベア７１の搬送角度Ｅ２は、引き抜きコンベア３の搬送角度Ｅ１の４０度より、やや大きい４５度を採用している。
【００３０】
ベルトコンベア７１の後部のコンベアフレーム７０には球根排出シュート７３が設けられている。球根排出シュート７３は、後端側を上下回動自在に設けてあり、ベルトコンベア７１の後後端部から受け渡された球根部Ｂの排出方向を任意に決めることができる。球根排出シュート７３は、球根部Ｂの収納容器Ｖへの偏りない投入を、より一層が向上させる。
【００３１】
ベルトコンベア７１の周回駆動は、駆動モータ７５によって行われる。駆動モータ７５は、ベルトコンベア７１の後部の回転軸を駆動させてベルトコンベア７１を搬送可能状態にさせる。駆動モータ７５は、入力部１２の近傍に配置したエネルギ発生装置７４で、入力部１２から回転動力を得てエネルギを発生させたエネルギを使用して駆動する。この実施形態のエネルギ発生装置７４は、入力軸１２１とエネルギ発生装置７４の前方側に設けた軸にチェーン７４１を巻き掛けて回転動力を獲得している。
【００３２】
また、図示する実施形態では、駆動モータ７５は油圧モータであり、エネルギ発生装置７４は油圧ポンプを使用している。また、図示はしないが、駆動モータ７５は電気モータであり、エネルギ発生装置７４は発電機の構成としても良い。このようすることで、エネルギ発生装置７４と駆動モータ７５の間には図示しない配管あるいは配線をするのみで、駆動モータ７５を駆動することが可能となる。したがって、チェーン、シャフト、ギヤ等の駆動に係る機構部材を廃することができるので、駆動モータ７５の設置に対する自由度が向上する。
【００３３】
駆動モータ７５である油圧モータは、配管経路の途中にスピードコントローラを設置している。これにより、ベルトコンベア７１を作業者の所望する搬送速度に調整することが可能である。駆動モータ７５が電機モータであっても、電気回路の途中にスピードコントローラを設置することで同様の効果がある。
【００３４】
球根搬送部７は、進行方向左右両側からそれぞれ下方に向けた柱材を２本平行に配置したシューフレーム６２に、進行方向左右に架け渡すように取付けた梁部材８を介して固定されている。梁部材８は、進行方向に対し左右水平に配置したパイプ８１を有し、このパイプ８１の左右にシューフレーム６２の下部に固定するための固定部８２によって、シューフレーム６２間に固定されている。この実施形態の場合、梁部材８は、前後に２個設けている。固定部８２とシューフレーム６２との固定は鋲螺によって固定されているので、接地手段６と梁部材８の固定は強固である。また、梁部材８はシューフレーム６２に対して鋲螺による固定であるので、着脱が自在である。
【００３５】
パイプ８１の中央部の２箇所には、球根搬送部７を取り付けて固定するための部材である取付部８３を設けている。取付部８３は、板部材は垂直に立てた板部材８３１に、複数のピン８３２を進行方向の左右いずれかの側方に向けて突出させている。この実施形態の場合、進行方向右側の水平方向にピン８３２を複数突出させるとともに固着している。球根搬送部７に設けているコンベアフレーム７０の下部には取付孔７０１を複数個所に設けている。ピン８３２に取付孔７０１を差し込むことで、球根搬送部７は取付部８３と固定状態となり、梁部材８とともに地下茎作物収穫機Ａと一体となる。
【００３６】
梁部材８は球根搬送部７の下方に位置していて、ベルトコンベア７１の搬送を阻害することがないため、球根搬送部７によって連続作業ができる。また、ピン８３２の端部には図示しない抜け止めがされており、球根搬送部７は容易に抜け落ちることがないため、地下茎作物収穫機Ａによって安定した作業が可能である。また、梁部材８に複数設けたピン８３２と、コンベアフレーム７０の複数設けた取付孔７０１の係合によって、複数個所を固定しているので、地下茎作物収穫機Ａ及び梁部材８に対して、球根搬送部７は固定が安定する。梁部材８は接地手段６に対して強固に固定が可能であるので、より一層球根搬送部７の固定が安定する。さらに、梁部材８は接地手段６に対して着脱自在であり、球根搬送部７は梁部材８に対して着脱自在であるので、梁部材８及び球根搬送部７は、それぞれ個別に接地手段６、梁部材８、球根搬送部７に対して取り付けあるいは取り外しが可能である。
【００３７】
球根搬送部７を梁部材８に対して取り外す場合は、取付孔７０１をピン８３２の係合から外して固定を解除することで、取り外しが完了する。
【００３８】
取付部８３には、ピン８３２を使用して球根搬送部７を梁部材８に固定する形態で説明したが、ピン８３２に代えて、ボルト、ナット等の鋲螺を用いて締結しても良い。
【００３９】
一方、切断部４によって切断され分離された地下茎作物Ｃの茎葉部Ｌは、引き抜きコンベア３の後方端上方に位置する茎葉部排出コンベア５に挟持されて、より後方に搬送され、終端部の下方に位置する茎葉部排出シュート５１に落下する。
【００４０】
茎葉部排出コンベア５は、引き抜きコンベア３と同様に複数列、この実施例では４列設けられている。各茎葉部排出コンベア５は、前端部が引き抜きコンベア３の後方の駆動プーリ３１と同軸で位置したプーリ５０１と、後方に位置させたプーリ５０２に巻き掛けたベルト５０３によって、茎葉部Ｌを引き抜きコンベア３から引き続き後方に搬送する。図１に示すように、茎葉部排出コンベア５は引き抜きコンベア３の上方で引き抜きコンベア３に対して、左右両側に傾けて設けている。図２に示す実施形態においては、茎葉部排出コンベア５の搬送方向は、進行方向の左２列が左側に、進行方向の右２列が右側にそれぞれ傾けて配置している。
【００４１】
茎葉部排出コンベア５後方のコンベア終端部の下方には、茎葉部の排出シュート５１を配置させている。排出シュート５１は球根搬送部７の進行方向に対する左右両側にそれぞれ配置していて、落下した茎葉部Ｌは排出シュート５１に誘導されて、左右の畝と畝の間の畝間に落下する。畝上のマルチフィルムには茎葉部Ｌが落下しないため、後工程のマルチフィルムの回収作業を効率よく行うことができる。
【００４２】
次に、この発明の実施形態である地下茎作物収穫機Ａの実際の作業に基いて説明する。地下茎作物収穫機Ａは、トラクタなどの走行装置に装着して走行しながらニンニク等の地下茎作物を収穫する。
【００４３】
地下茎作物収穫機Ａは、地下茎作物Ｃが栽培されている畝Ｒの両側の２つの畝間の地面Ｇをそり状のシュー６１によって接地させながら走行させる。同時に、根切り部２の刃部２２を畝の土中に栽培されているニンニク等の地下茎作物Ｃの球根部Ｂの下方を通過させるとともに、４列の引き抜きコンベア３によって地下茎作物Ｃの茎葉部Ｌを挟持して抜き取り、後方に搬送する。
【００４４】
引き抜きコンベア３によって搬送途中の地下茎作物Ｃの球根部Ｂは、球根部Ｂの下方に位置する土落し部３３のスターホイール３３０の回転によって、周囲及び根部に付着した土を叩き落とす。
【００４５】
引き抜きコンベア３の下方位置の前方端より後方であり、土落し部３３の前方のフィルム押えローラ３４は、地下茎作物Ｃの引き抜きにより浮き上がったマルチフィルムＦをフィルム押えローラ３４の下方で押さえ込むとともに、回転駆動することにより、上方の引き抜きコンベア３側から引き離すように後方に送り出す。これにより、マルチフィルムが引き抜きコンベア３などの可動部に巻き込まれて作業が中断することがなく効率よい作業が可能となる。
【００４６】
それぞれの引き抜きコンベア３によって搬送されてくる地下茎作物Ｃは、切断部４によって球根部Ｂと茎葉部Ｌとの間を切断して分離する。分離された球根部Ｂは、シュート７２に案内されながら、球根搬送部７のベルトコンベア７１前部に自然落下する。土落し部３３によって、球根部Ｂの不要な土を取り除いているので、球根搬送部７のベルトコンベア７１に土を落とすことを減少させている。
【００４７】
搬送面を後方側に移動可能に駆動するベルトコンベア７１の前端部に落下した球根部Ｂは、板材７１２によって係止され、下方への落下を阻止されながらベルトコンベア７１の後端部へ搬送されていく。後端部に達した球根部Ｂは、球根排出シュート７３を滑り落ち、後方で伴走する収納容器Ｖに収納される。
【００４８】
切断部４によって切断され分離された地下茎作物Ｃの茎葉部Ｌは、引き抜きコンベア３の上方に位置する茎葉部排出コンベア５に挟持されて、引き抜きコンベア３より後方に搬送される。茎葉部排出コンベア５の後端部から下方に落下して茎葉排出シュート５１により案内されて、畝の左右部の畝間Ｇへ落下する。
【００４９】
収穫作業時に、トラクタに装着した地下茎収穫機Ａの後部の球根搬送部７の設置スペースや、球根搬送部７の後方に位置する収納容器Ｖを配置させることが困難な狭い圃場で地下茎収穫機Ａを使用する場合は、球根搬送部７を取り外す。
【００５０】
球根搬送部７を取り外した後の梁部材８の上に、作業者が持ち運び可能な小型の収納容器（図示せず）を載せて、この中に球根部Ｂを一時収納する。その後、作業者によって球根部Ｂを一時収納した小型の収納容器を持ち出して球根部Ｂを集める。
さらに梁部材８を接地手段６から取り外せば、切断部４で分離した球根部Ｂは、畝面Ｒ上に直接落下させることが可能である。その後、畝面Ｒ状の球根部Ｂは作業者によって集められる。
【００５１】
以上、説明した通り、球根搬送部７を取り外し可能にすることで、連続的な地下茎作物の収穫作業を可能にするとともに、圃場への適応性を向上させることができる地下茎収穫機Ａを提供できる。また、説明した本発明の技術的思想は、特許請求の範囲に記載された請求項が規定する技術的範囲内において、種々の変更を加えることができることは言うまでもない。
【産業上の利用可能性】
【００５２】
この発明は、走行機であるトラクタの後方に装着されて使用される地下茎作物の収穫機に利用できる。
【符号の説明】
【００５３】
１      装着部
２      根切り部
３      引き抜きコンベア
３０    引き抜きベルト
４      切断部
６      接地手段
６１    シュー
６２    シューフレーム
７      球根搬送部
７０    コンベアフレーム
７１    ベルトコンベア
８      梁部材
８１    パイプ
８２    固定部
８３    取付部
Ａ      地下茎作物収穫機
【図１】
2020198833.tif 000003
【図２】
2020198833.tif 000004
【図３】
2020198833.tif 000005
【図４】
2020198833.tif 000006
【図５】
2020198833.tif 000007